(57)【要約】【課題】  網をその形状に拘わらず確実に軒樋上に保持することができる軒樋のための網固定具及びそれを用いた網の固定方法を提供する。【解決手段】  上方へ開放する軒樋１０の互いに対向する各側壁１５の各上端部１５ａに各一端２５ａがそれぞれ支持される一対の帯状部材２０の各他端２５ｂを、軒樋１０を覆う網１８の上方で各帯状部材２０の締め込み量が調節可能となるように結合部材２１で互いに結合させる。【選択図】  図１
2005344283.tif 000002
【特許請求の範囲】
【請求項１】
上方へ開放する軒樋の互いに対向する各側壁の各上端部に各一端がそれぞれ支持される
一対の帯状部材と、前記軒樋をその上方から覆う網を前記軒樋上に保持すべく前記各帯状
部材の各他端を前記網の上方で前記両帯状部材の締め込み量が調節可能となるように互い
に結合させる結合部材とを有することを特徴とする軒樋のための網固定具。
【請求項２】
前記各帯状部材には、その長手方向に沿って複数の突起が形成されており、前記結合部
材は、前記各帯状部材のそれぞれの挿通を許す一対の筒状の挿通部と、該挿通部に設けら
れ、前記各帯状部材の前記各突起に係止可能な係止部と、前記挿通部に設けられ、前記係
止部への前記各帯状部材の前記各突起の係止を解除すべく前記係止部に係合可能な解除部
とを有することを特徴とする請求項１に記載の軒樋のための網固定具。
【請求項３】
軒樋の互いに対向する各側壁間に架け渡され、前記軒樋を支持する片持ち梁状の取付具
の両端に、それぞれ帯状部材をその一端でインシュロック帯を介して支持すること、
前記取付具上に網を前記各帯状部材の間で前記軒樋をその上方から覆うように配置する
こと、
前記網を覆うように前記各帯状部材の各他端を互いに結合部材で結合すること、
前記両帯状部材を締め込むことにより前記網を前記取付具に保持することを含む軒樋の
ための網固定具を用いた網の固定方法。  
【発明の詳細な説明】
【技術分野】
【０００１】
本発明は、例えば住宅のような建築物に設けられた軒樋に、該軒樋内にゴミや落ち葉が
侵入することを防止するための網を保持するために用いるのに好適な軒樋のための網固定
具及びそれを用いた網の固定方法に関する。
【背景技術】
【０００２】
一般的に、例えば住宅のような建築物の軒先には、屋根から流れ落ちてくる雨水を受け
るべく上方へ開放する軒樋が設けられている。軒樋は、住宅の軒下に設けられた鼻隠し板
に片持ち支持された取付具を介して鼻隠し板に取り付けられている（例えば、特許文献１
乃至２参照。）。
【０００３】
軒樋には、該軒樋内にゴミや落ち葉等が入ることを防止するための網が設けられている
。網は、その両縁部に設けられた網固定具を介して軒樋の互いに対向する各側壁の上端部
に取り付けられている。網の形状や軒樋への取付態様は、該網が取り付けられる軒樋の形
状によって決まっている。
【特許文献１】実開平０３−９０７３５号公報（第１項、第１図）
【特許文献２】特開２００２−３８６６９号公報（第２−３項、第１図）
【発明の開示】
【発明が解決しようとする課題】
【０００４】
しかしながら、網の形状や軒樋への取付態様が軒樋毎に異なることから、網に汎用性が
ない。このため、軒樋に既に取り付けられた網に代えて、他の形状の軒樋に取り付けられ
た網を取り付けることができないという問題があった。
【０００５】
本発明の目的は、網をその形状に拘わらず確実に軒樋に保持することができる網固定具
及びそれを用いた網の固定方法を提供することにある。
【課題を解決するための手段】
【０００６】
上記課題を解決するために、本発明は、上方へ開放する軒樋の互いに対向する各側壁の
各上端部に各一端がそれぞれ支持される一対の帯状部材と、前記軒樋をその上方から覆う
網を前記軒樋上に保持すべく前記各帯状部材の各他端を前記網の上方で前記両帯状部材の
締め込み量が調節可能となるように互いに結合させる結合部材とを有することを特徴とす
る。
【０００７】
上記の構成では、網を軒樋上に保持するための一対の帯状部材が、それらの締め込み量
が調節可能に結合部材で互いに結合されていることから、互いに結合された両帯状部材の
全体の長さを軒樋上に配置される網の形状に応じて容易に調節することができる。これに
より、軒樋に既に保持された網に代えて他の形状の軒樋に取り付けられた網を保持する場
合でも、該網をその形状に拘わらず軒樋上に確実に保持することができる。
【０００８】
また、帯状部材に、その長手方向に沿って複数の突起を形成することができ、各結合部
材に、各帯状部材の挿通を許す一対の筒状の挿通部を設けることができる。また、各結合
部材の挿通部に、各帯状部材の各突起に係止可能な係止部と、該係止部への各帯状部材の
各突起の係止を解除すべく係止部に係合可能な解除部とを設けることができる。
【０００９】
これにより、各帯状部材を所望の締め込み位置で確実に保持することができ、また、各
帯状部材の締め込み量を容易に調節することができる。
【００１０】
また、係止部への各帯状部材の係止が解除部を係止部に係合させることにより容易に解
除することができるため、結合部材による各帯状部材の相互の結合を容易に解除すること
ができる。これにより、例えば軒樋内を清掃するときのように軒樋から網を取り外す必要
があるとき、網を軒樋から容易に取り外すことができる。
【００１１】
更に、本発明に係る網固定具を用いた網の固定方法では、軒樋の互いに対向する各側壁
間に架け渡した片持ち梁状の取付具の両端に、それぞれ帯状部材をその一端でインシュロ
ック帯を介して支持し、取付具上に網を各帯状部材の間で軒樋をその上方から覆うように
配置し、網を覆うように各帯状部材の各他端を互いに結合部材で結合し、両帯状部材を締
め込むことにより網を取付具に保持することができる。
【００１２】
各帯状部材をそれぞれインシュロック帯で取付具に支持することから、各帯状部材を取
付具にその形状に拘わらず容易に取り付けることができる。また、各帯状部材を結合部材
で互いに結合し、両帯状部材を締め込むことにより網を取付具に保持することから、網を
軒樋に取り付けるための工具を不要とすることができる。これにより、軒樋への網の取付
作業の効率を確実に向上させることができる。
【発明の効果】
【００１３】
本発明に係る網固定具によれば、網を軒樋上に保持するための一対の帯状部材が、それ
らの締め込み量が調節可能に結合部材で互いに結合されていることから、互いに結合され
た両帯状部材の全体の長さを軒樋上に配置される網の形状に応じて容易に調節することが
できる。これにより、軒樋に既に保持された網に代えて他の形状の軒樋に取り付けられた
網を保持する場合でも、該網をその形状に拘わらず軒樋上に確実に保持することができる
。
【００１４】
また、本発明に係る網固定具を用いた網の固定方法によれば、各帯状部材をそれぞれイ
ンシュロック帯で取付具に支持することから、各帯状部材を取付具に容易に取り付けるこ
とができる。また、各帯状部材を結合部材で互いに結合し、両帯状部材を締め込むことに
より網を取付具に保持することから、軒樋への網の取付のための工具を不要とすることが
できる。これにより、軒樋への網の取付作業の効率を向上させることができる。
【発明を実施するための最良の形態】
【００１５】
本発明を図示の実施例に沿って説明する。
【実施例】
【００１６】
本実施例では、本発明に係る軒樋のための網固定具を住宅に設けられた軒樋に適用した
例を示す。
【００１７】
本発明に係る軒樋１０は、従来よく知られているように、住宅の軒先に設けられ、図示
しない屋根から流れ落ちてくる雨水を受けて地上に流すために用いられる。
【００１８】
住宅の軒下部分には、横長の従来よく知られた鼻隠し板１１が設けられている。鼻隠し
板１１上には、図１に示すように、軒樋１０を支持するための複数の取付具１２（一つの
みが図示されている。）が鼻隠し板１１に沿って互いに所定の間隔をおいて配置されてい
る。
【００１９】
各取付具１２は、図示の例では、鼻隠し板１１に例えば釘のような締結具により固定さ
れる基部１３と、該基部から住宅の外方へ伸びる支持腕部１４とをそれぞれ有する。支持
腕部１４の基部１３側の基端部分１４ａ及び先端部分１４ｂには、それぞれ軒樋１０の後
述する側壁１５の上端部１５ａに係止可能な係止部１６が設けられている。
【００２０】
軒樋１０は、例えばポリ塩化ビニルのような合成樹脂で成形されており、図１に示すよ
うに、鼻隠し板１１に沿って伸びる底壁１７と、該底壁の住宅側に位置する縁部及び該縁
部と反対側の縁部からそれぞれ上方へ立ち上がる一対の前記した側壁１５とを有する。軒
樋１０は、その各側壁１５の各上端部１５ａが取付具１２の支持腕部１４の各係止部１６
にそれぞれ係止されることにより、取付具１２を介して鼻隠し板１１に支持される。
【００２１】
軒樋１０上には、該軒樋内にゴミや落ち葉等が入らないようにするために軒樋１０を覆
う網１８が設けられている。網１８は、図示の例では、円筒状をなしており、その軸線を
軒樋１０の軸線に一致させて取付具１２の支持腕部１４に設けられた網固定具１９を介し
て軒樋１０上に保持されている。
【００２２】
本発明に係る網固定具１９は、図１に示すように、取付具１２の支持腕部１４の基端部
分１４ａ及び先端部分１４ｂにそれぞれ支持される一対の帯状部材２０と、該各帯状部材
を互いに結合するための結合部材２１とを備える。各帯状部材２０は、図示の例では、一
対のインシュロック帯２２を介して取付具１２の支持腕部１４に取り付けられている。
【００２３】
各帯状部材２０を取付具１２の支持腕部１４に取り付けるための各インシュロック帯２
２は、従来よく知られているように、ポリプロピレンのような弾性樹脂材から成形されて
おり、例えば電線を束ねるための結束部材として用いられている。インシュロック帯２２
は、細長い帯部２３と、該帯部の一端２３ａに設けられ、帯部２３の挿通を許す両端開口
の筒状の挿通部２４とを有する。挿通部２４は、該挿通部内に帯部２３が挿通したときに
該帯部の一方の面に形成された複数の突起２３ｂに係止可能な図示しない係止部を有する
。前記係止部は、挿通部２４内への帯部２３の挿通方向への移動を許し、挿通方向と反対
方向への移動を阻止する従来よく知られた係止機能を有する。これにより、各インシュロ
ック帯２２は、その各帯部２３を各挿通部２４に挿通することによりそれぞれ環状になっ
た状態で、口径が小さくなるように締め付け可能である。各インシュロック帯２２は、図
１に示すように、それぞれ環状になった状態で、取付具１２の支持腕部１４の基端部分１
４ａ及び先端部分１４ｂに網１８を介在して取付具１２の支持腕部１４を挿通して配置さ
れている。
【００２４】
各帯状部材２０は、図示の例では、細長い帯部２５と、該帯部の一端２５ａに設けられ
、各インシュロック帯２２の各帯部２３の挿通を許す両端開口の筒状の挿通部２６とをそ
れぞれ有する。各帯部２５の一方の面には、各帯部２５の幅方向に伸びる複数の突起２７
が各帯部２５の長手方向に沿って連続的に形成されている。各突起２７は、縦断面が三角
形をなしており、その各帯部２５の各一端２５ａ側の面の傾斜角が各帯部２５の各他端２
５ｂ側の面の傾斜角より小さい鋸歯状に形成されている（図３参照。）。各帯状部材２０
は、その各挿通部２６に各インシュロック帯２２の各帯部２３が挿通されることにより、
各インシュロック帯２２を介して取付具１２の支持腕部１４に取り付けられる。これによ
り、各帯状部材２０は、取付具１２を介して軒樋１０の各側壁１５の各上端部１５ａに支
持される。また、各帯状部材２０は、取付具１２の支持腕部１４上に配置された網１８を
覆うように、その各帯部２５の各他端２５ｂで結合部材２１により相互に結合されている
。
【００２５】
各帯状部材２０を相互に結合するための結合部材２１は、図２の（ａ）及び（ｂ）に示
すように、各帯状部材２０の各帯部２５の挿通を許す一対の挿通部２８を備える。
【００２６】
各挿通部２８は、それぞれ頂壁２９、底壁３０及び一対の側壁３１を有する筒状をなし
ており、軸線を互いに平行にして且つ互いに間隔をおいて連なって形成されている。各挿
通部２８の各底壁３０には、該各底壁の一部を構成し、各挿通部２８の軸線に沿って相反
する方向へ向けて伸び且つ各挿通部２８内へ反り上がる一対の係止爪３３が設けられてい
る。各係止爪３３は、各挿通部２８内への各帯状部材２０の挿通時に該各帯状部材の各突
起２７に係止可能である。
【００２７】
また、各挿通部２８内には、各係止爪３３への各帯状部材２０の各突起２７の係止を解
除するための板状の解除部３４がそれぞれ設けられている。各解除部３４には、各係止爪
３３の各先端３３ａの挿通を許す開口３５がそれぞれ形成されている。各解除部３４は、
その各開口３５から各係止爪３３の各先端３３ａが各挿通部２８内に突出するように該各
挿通部の各底壁３０上で各挿通部２８の軸線に沿って摺動可能に設けられている。各帯状
部材２０の各突起２７が各係止爪３３に係止された状態では、各解除部３４の各係止爪３
３の基端３３ｂ側に位置する各端部３４ａが各挿通部２８からその外方へ突出している（
図３の（ａ）参照。）。
【００２８】
各帯状部材２０を結合部材２１で結合する際、各帯状部材２０の各帯部２５をその各突
起２７が結合部材２１の各挿通部２８の各底壁３０に対向するように結合部材２１の各挿
通部２８内にその各解除部３４の各端部３４ａが突出した側からそれぞれ挿入する。各帯
状部材２０の各突起２７が各係止爪３３の各先端３３ａに当接すると、図３（ａ）に示す
ように、各係止爪３３の各先端３３ａには各係止爪３３の板厚方向に各係止爪３３を下方
へ押し下げる力が各突起２７から作用するため、各係止爪３３は下方へ押し下げられる。
このとき、前記したように、各突起２７の各帯部の各一端側には緩やかな斜面が形成され
ていることから、各突起２７は各係止爪３３の各先端３３ａを容易に乗り越えることがで
きる。各係止爪３３は、前記したように、弾性変形可能であることから、各突起２７が各
係止爪３３の各先端３３ａを乗り越えた後、その各先端３３ａが各解除部３４の各開口３
５から各挿通部２８内に突出する姿勢に戻る。これにより、各帯状部材２０の各突起２７
は、各係止爪３３に係止される。
【００２９】
また、各帯状部材２０の各突起２７には、前記したように、その各帯部２５の各他端２
５ｂ側で急斜面がそれぞれ形成されていることから、図３（ａ）に示す状態で各帯状部材
２０を各挿通部２８への挿通方向と反対方向へ引き抜こうとすると、各係止爪３３には各
突起２７から各係止爪３３をその伸長方向に圧縮する圧縮力が作用する。これにより、各
帯状部材２０の挿通方向と反対方向への移動が阻止されるため、各帯状部材２０が各挿通
部２８から抜けることが防止される。
【００３０】
各係止部１６への各帯状部材２０の各突起２７の係止を解除するときは、各解除部３４
の各挿通部２８からの各突出端部３４ａを各挿通部２８内へ向けて押し込む。このとき、
図３（ｂ）に示すように、各解除部３４に形成された各開口３５の各突出端部３４ａ側に
位置する各縁部３５ａが、各開口３５内を挿通する各係止爪３３の各先端３３ａに当接す
る。これにより、各係止爪３３が下方へ押し下げられるため、各係止部１６への各帯状部
材２０の各突起２７の係止が解除される。
【００３１】
従って、各帯状部材２０は、その各突起２７が結合部材２１の係止爪３３に係止される
ことにより所望の締め込み位置に保持され、解除部３４の操作により締め込みを緩めるこ
とができる。すなわち、各帯状部材２０は、その締め込み量が調節可能となるように結合
部材２１で互いに結合されている。網１８は、該網を覆うように結合された各帯状部材２
０の締め込みにより取付具１２の支持腕部１４に締め付けられており、これにより、取付
具１２を介して軒樋１０上に保持される。
【００３２】
本発明に係る網固定具１９を用いて網１８を軒樋１０上に保持する際、図４Ａに示すよ
うに、各インシュロック帯２２を取付具１２の下方にその支持腕部１４の基端部分１４ａ
側及び先端部分１４ｂ側で配置する。また、各帯状部材２０を、その各帯部２５の各突起
２７が形成された面が互いに対向するように、取付具１２の上方にその支持腕部１４の基
端部分１４ａ側及び先端部分１４ｂ側で配置する。
【００３３】
次に、図４Ｂに示すように、各インシュロック帯２２の各帯部２３を取付具１２の支持
腕部１４を取り巻くように各帯状部材２０の各挿通部２６及び各インシュロック帯２２の
各挿通部２４にそれぞれ挿通する。これにより、各帯状部材２０が各インシュロック帯２
２を介して取付具１２の支持腕部１４に取り付けられる。このとき、各インシュロック帯
２２の口径を取付具１２の支持腕部１４の形状に合わせて締め付けることができる。
【００３４】
更に、図４Ｃに示すように、取付具１２の支持腕部１４上に各帯状部材２０間で網１８
をその軸線が取付具１２に支持された軒樋１０の長手方向に沿うように配置する。続いて
、各帯状部材２０の各帯部２５を網１８上で結合部材２１の各挿通部２８内にそれぞれ挿
通することにより、各帯状部材２０を互いに結合する。
【００３５】
その後、各帯状部材２０及び各インシュロック帯２２をそれぞれ網１８の形状及び取付
具１２の支持腕部１４の形状に応じて締め込むことにより、取付具１２の支持腕部１４へ
の網１８の取付けが完了する。これにより、網１８は、網固定具１９により取付具１２を
介して軒樋１０上に保持される。
【００３６】
本実施例によれば、前記したように、網１８を軒樋１０上に保持するための一対の帯状
部材２０が、それらの締め込み量が調節可能に結合部材２１で互いに結合されていること
から、互いに結合された両帯状部材２０の全体の長さを軒樋１０上に配置される網１８の
形状に応じて容易に変えることができる。これにより、軒樋１０に既に保持された網１８
に代えて他の形状の軒樋に保持され網を保持する場合でも、該網をその形状に拘わらず軒
樋１０上に確実に保持することができる。
【００３７】
また、前記したように、各帯状部材２０の各帯部２５の一方の面に鋸歯状の複数の突起
２７が形成されており、各結合部材２１の挿通部２８に、各帯状部材２０の各突起２７に
係止可能な係止部１６と、該係止部への各帯状部材２０の各突起２７の係止を解除すべく
操作される解除部３４とが設けられていることから、各帯状部材２０を所望の締め込み位
置で確実に保持することができ、また、各帯状部材２０の締め込み量を容易に調節するこ
とができる。
【００３８】
また、前記したように、解除部３４の操作により係止部１６への各帯状部材２０の係止
を容易に解除することができるため、結合部材２１による各帯状部材２０の相互の結合を
容易に解除することができる。これにより、例えば軒樋１０内を清掃するときのように軒
樋１０から網１８を取り外す必要があるとき、網１８を軒樋１０から容易に取り外すこと
ができる。
【００３９】
更に、本発明に係る網固定具１９を用いた網１８の固定方法では、各帯状部材２０をそ
れぞれインシュロック帯２２を介して取付具１２に取り付けることから、各帯状部材２０
を取付具１２にその形状に拘わらず容易に取り付けることができる。また、各帯状部材２
０を結合部材２１で互いに結合し、両帯状部材２０を締め込むことにより網１８を取付具
１２に保持することから、網１８を軒樋１０に取り付けるための工具を不要とすることが
できる。これにより、軒樋１０への網１８の取付作業の効率を確実に向上させることがで
きる。
【００４０】
本実施例では、網１８が取付具１２を介して軒樋１０上に保持された例を示したが、こ
れに代えて、網１８が軒樋１０上に直接保持される場合に本発明を用いることができる。
【００４１】
また、網固定具１９の各帯状部材２０を取付具１２に取り付けるためにインシュロック
帯２２を用いた例を示したが、これに代えて、例えばウォームギア方式で内径が調節可能
なホースバンド状の結束部材を用いることができる。
【００４２】
更に、本実施例では、網１８が円筒状をなした例を示したが、これに代えて、例えば平
面状のように円筒状とは異なる形状をなした網を用いることができる。
【図面の簡単な説明】
【００４３】
【図１】本発明に係る網固定具を用いて網を軒樋上に保持した状態を概略的に示す斜視図である。
【図２】（ａ）は、本発明に係る網固定具の結合部材を概略的に示す平面図であり、（ｂ）は、本発明に係る網固定具の結合部材を概略的に示す側面図である。
【図３】（ａ）は、帯状部材の突起が結合部材の係止爪に係止された状態を概略的に示す縦断面図であり、（ｂ）は、係止爪への帯状部材の突起の係止を解除部で解除する状態を概略的に示す縦断面図である。
【図４Ａ】各帯状部材及び各インシュロックを取付具に取り付ける状態を概略的に示す斜視図である。
【図４Ｂ】各帯状部材及び各インシュロックを取付具に取り付けた状態を概略的に示す斜視図である。
【図４Ｃ】取付具上に網を配置し、各帯状部材を結合部材で互いに結合させる状態を概略的に示す斜視図である。
【符号の説明】
【００４４】
１０  軒樋
１５  側壁（軒樋の側壁）
１５ａ  上端部（側壁の上端部）
２５ａ  一端（帯状部材の帯部の一端）
２０  帯状部材
１８  網
２５ｂ  他端（帯状部材の他端）
２１  結合部材
１９  網固定具
２７  突起
２８  挿通部
３３  係止部（係止爪）
３４  解除部
１２  取付具
１４ａ，１４ｂ  両端（取付具の支持腕部の基端部分及び先端部分）
２２  インシュロック帯
【図１】
2005344283.tif 000003
【図２】
2005344283.tif 000004
【図３】
2005344283.tif 000005
【図４Ａ】
2005344283.tif 000006
【図４Ｂ】
2005344283.tif 000007
【図４Ｃ】
2005344283.tif 000008